(57)【特許請求の範囲】
【請求項１】
アウタパネルとインナパネルとの間に窓ガラスの収納空間を確保し、且つ、車体に上下のドアヒンジを介して開閉可能に連結されるとともに前記窓ガラスが突没されるベルトライン部を有した車両用ドアにおいて、
前記車両の衝突に備えて前記収納空間内に設けられ、前記ベルトライン部に隣接し且つ前記ベルトライン部に沿って車両の前後方向に延びるとともに両端の連結部間の部位が前記インナパネルとは独立して中空の矩形閉断面を有する上側補強ビームと、
前記車両の衝突に備えて前記収納空間内の前記上側補強部材の下側に設けられ、前記上側補強ビームと平行に延びるとともに両端の連結部間の部位が中空の円形閉断面を有する下側補強ビームと、
前記インナパネルの前部に設けられ、前記上下のドアヒンジ近傍にて前記上側及び前記下側補強ビームの一端連結部がそれぞれ結合された前側パネル補強部材と、
前記インナパネルの後部に設けられ、前記上側及び前記下側補強ビームの他端連結部がそれぞれ結合された後側パネル補強部材と
を具備したことを特徴とする車両用ドア。
【請求項２】
前記前側パネル補強部材は前記上下のドアヒンジが取り付けられるドアピラーであり、
前記後側パネル補強部材はドアラッチが取り付けられるラッチ補強部材であって、前記ドアラッチの上下にて前記上側及び下側補強ビームの他端連結部がそれぞれ結合されていることを特徴とする請求項１に記載の車両用ドア。
【請求項３】
前記インナパネルは、前記上側補強ビームと下側補強ビームとの間にウインドレギュレータを組み付けるための開口を有することを特徴とする請求項１又は２に記載の車両用ドア。
【発明の詳細な説明】
【０００１】
【発明の属する技術分野】
本発明は、小型トラック等の車両のキャブに好適する車両用ドアに関する。
【０００２】
【従来の技術】
小型トラック等のキャブが備えるドアにはその開閉動作に対する耐久性のみならず、衝突事故時等に備えて、十分な衝撃吸収性が要求されている。
それ故、この種のドアにあってもサイドビームと称される補強部材が内蔵され、このサイドビームはドアの開閉に対する耐久性や衝撃吸収性を確保している。
【０００３】
【発明が解決しようとする課題】
しかしながら、近年、小型トラック等の車両にあっても、燃費の向上が求められていることから、車体の軽量化が促進されている。このため、ドアを構成するインナパネルやアウタパネルの厚みはますます薄くなり、サイドビームのみではドアの開閉に対する耐久性や、衝撃吸収性を十分に確保することが困難である。
【０００４】
本発明は上述の事情に基づいてなされたもので、その目的とするところは、その重量の増加を伴うことなく、その開閉に対する耐久性や衝撃吸収性を十分に高めた車両用ドアを提供することにある。
【０００５】
【課題を解決するための手段】
上記の目的を達成するため、本発明は、アウタパネルとインナパネルとの間に窓ガラスの収納空間を確保し、且つ、車体に上下一対のドアヒンジを介して開閉可能に連結されるとともに窓ガラスが突没されるベルトライン部を有した車両用ドアであって、請求項１の車両用ドアは、車両の衝突に備えて収納空間内に設けられ、ベルトライン部に隣接し且つベルトライン部に沿って車両の前後方向に延びるとともに両端の連結部間の部位がインナパネルとは独立して中空の矩形閉断面を有する上側補強ビームと、収納空間内の上側補強部材の下側に設けられ、上側補強ビームと平行に延びるとともに両端の連結部間の部位が中空の円形閉断面を有する下側補強ビームと、インナパネルの前部に設けられ、上下のドアヒンジ近傍にて上側及び下側補強ビームの一端連結部がそれぞれ結合された前側パネル補強部材と、インナパネルの後部に設けられ、上側及び下側補強ビームの他端連結部がそれぞれ結合された後側パネル補強部材と備えている。
【０００６】
上述の車両用ドアによれば、前後のパネル補強部材及び上下の補強ビームは井桁構造を形作り、車両用ドアの剛性を増大させる。また、車両の正面側からの衝撃力が車両用ドアに入力されると、この衝撃力はドアヒンジを介して前側パネル補強部材に受け止められる一方、この前側パネル補強部材から上側及び下側補強ビームにも受け止められ、そして、これら上下の補強ビームから後側パネル補強部材に伝達され、この後側パネル補強部材に受け止められる。
【０００７】
また、上側補強ビームは、車両用ドアの窓枠の底を形成し且つその強度が比較的弱いベルトライン部の補強部材としても働き、ベルトライン部の強度を増加させる。
【０００８】
請求項２にあっては、前側パネル補強部材が上下のドアヒンジの取り付けに使用されるドアピラーであり、そして、後側パネル補強部材はドアラッチが取り付けられるラッチ補強部材であって、前記ドアラッチの上下に前記上側及び下側補強ビームの他端連結部がそれぞれ結合されている。
【０００９】
このような上下の補強ビームの結合構成によれば、車両の正面側から車両用ドアに入力する衝撃力は先ず上下のドアヒンジからドアピラー及び上下の補強ビームに受け止められ、そして、これら補強ビームからラッチ補強部材に伝達され、そして、ラッチ補強部材に伝達された衝撃力はドアラッチを介して車体側に逃がされる。
請求項３にあっては、インナパネルは、上側補強ビームと下側補強ビームとの間にウインドレギュレータを組み付けるための開口を有している。
【００１０】
【発明の実施の形態】
図１は、小型トラックのキャブに備えられる車両用ドアの一部、即ち、そのインナパネル２を示す。
インナパネル２はその上部に窓枠４を有し、この窓枠４の底は窓ガラス（図示しない）が突没されるベルトライン部６となっている。インナパネル２の前部にはドアピラー８が取り付けられており、このドアピラー８はインナパネル２の前縁に沿って上下に延び、そして、ドアピラー８に上下のドアヒンジ１０，１２が取り付けられる。従って、車両ドアはドアヒンジ１０，１２を介して車体、つまり、そのキャブ本体（図示しない）に開閉自在に支持される。
【００１１】
一方、インナパネル２の後部にはラッチ補強部材１４が取り付けられており、このラッチ補強部材１４もまたドアピラー８と同様に、インナパネル２の後縁に沿って上下に延びている。ラッチ補強部材１４にはその上下方向でみて、その中央部にドアラッチ１６が装着され、このドアラッチ１６はキャブ本体側のストライカ（図示しない）と係合可能である。
【００１２】
インナパネル２は上側補強ビーム１８を備え、この上側補強ビーム１８は窓枠４の底、即ち、ベルトライン部６に隣接し且つインナパネル２に沿って車両の前後方向に延び、その両端に連結部２０，２２をそれぞれ有する。
図２に示されるように上側補強ビーム１８は２枚の補強板材２４，２６からなる。より詳しくは、内側補強板材２４はインナパネル２の内面形状に従い、その内面に張り付くようにしてベルトライン部６に沿って延び、上下方向でみて所定の幅を有している。
【００１３】
一方、外側補強板材２６はその上縁部及び下縁部が内側補強板材２４に密着した状態で張り合わされ、そして、上下方向でみて、その中央部が内側補強板材２４から所定の距離を存して離間している。即ち、外側補強板材２６の中央部は内側補強板材２４と協働して、略矩形の閉断面を有する中空且つ長尺な箱部分２８を形成し、この箱部分２８がベルトライン部６に隣接し、且つ、ベルトライン部６に沿って延びている。
【００１４】
上側補強ビーム１８の前側の連結部２０は、上側のドアヒンジ１０の近傍にてドアピラー８に結合され、そして、後側の連結部２２はその内側補強板材２４と外側補強板材２６が互いに密着した状態で、ラッチ補強部材１４の上部に結合されている。
図２中の２点鎖線３０は、車両用ドアのアウタパネルを示しており、このアウタパネル３０とインナパネル２との間に窓ガラス（図示しない）の収納空間が確保されている。また、図２中の１点鎖線３２は窓ガラスの突没ラインを示しており、上側補強ビーム１８は突没ライン３２よりもインナパネル２側に配置されている。
【００１５】
更に、図１に示されているようにインナパネル２には下側補強ビーム３４が設けられており、この下側補強ビーム３４は上側補強ビーム１８の下方に位置し、そして、上側補強ビーム１８と平行に延びている。下側補強ビーム３４もまた上側補強ビーム１８と同様に閉断面を有する。具体的には、下側補強ビーム３４はパイプ部材からなり、図３に示されるように円形の閉断面を有する。
【００１６】
下側補強ビーム３４の両端にも連結部３６，３８が設けられており、前側の連結部３６は下側のドアヒンジ１２近傍のドアピラー８にビーム補強部材（図示しない）を介して結合され、そして、後側の連結部３８もまたラッチ補強部材１４の下部にビーム補強部材（図示しない）を介して結合されている。従って、前述したドアラッチ１６は上側補強ビーム１８の連結部２２と下側補強ビーム３４の連結部３８との間に位置付けられている。
【００１７】
なお、インナパネル２には上側補強ビーム１８と下側補強ビーム３４との間に位置して、開口４０が形成されており、この開口４０はウインドレギュレータ等の組付けに利用されるばかりでなく、車両用ドアの軽量化に貢献する。
上述した車両用ドアによれば、前後のドアピラー８及びラッチ補強部材１４と上側及び下側補強ビーム１８，３４とは、図４を参照すればより明らかなように井桁構造をなす。このような井桁構造は車両用ドアの剛性を増大させ、車両用ドアが頻繁に開閉されても、その開閉動作に対する耐久性を大幅に向上させる。
【００１８】
また、上側補強ビーム１８は略矩形の閉断面を有するので、車両用ドアの重量を増加させることなく、高い剛性を発揮する。それ故、このような上側補強ビーム１８が前述したベルトライン部６に隣接し、且つ、このベルトライン部６に沿って延びていると、ベルトライン部６の強度不足を効果的に補うことができ、車両用ドアの耐久性向上に大きく貢献する。
【００１９】
更に、下側補強ビーム３４もまた閉断面を有するパイプ部材からなっているので、車両用ドアの重量増加を招くことなく、その耐久性の向上に大きく役立ち、しかも、下側補強ビーム３４を安価に得ることができる。
更にまた、上側及び下側補強ビーム１８，３４の前側の連結部２０，３６はドアピラー８にそれぞれ結合されているので、これら連結部２０，３６とドアピラー８との間の接合強度を大きく確保することができる。
【００２０】
一方、上側及び下側補強ビーム１８，３４の後側の連結部２２，３８はラッチ補強部材１４に対して、ドアラッチ１６の上下に結合されることから、ラッチ補強部材１４はドアラッチ１６の上下に延長され、その機械的強度が大幅に増大されている。
上述した上下の補強ビーム１８，３４の結合構成によれば、万一車両が正面衝突して、その衝撃力が図４に示されるようにキャブ本体から車両用ドアに入力されると、衝撃力は先ず上下のドアヒンジ１０，１２を介してドアピラー８に受け止められることになる。しかしながら、ドアピラー８には上側及び下側補強ビーム１８，３４が結合されているので、衝撃力はドアピラー８から上側及び下側補強ビーム１８，３４を介してラッチ補強部材１４に伝達される。つまり、衝撃力はドアヒンジ１０，１２が取り付けられるドアピラー８のみならず、上下の補強ビーム１８，３４に伝達されるので、ドアピラー８が受ける衝撃が低減され、この結果、ドアピラー８の耐衝撃強度を増加させることができる。
【００２１】
また、上側及び下側補強ビーム１８，３４はそれぞれ閉断面形状を有しているから、これら補強ビーム１８，３４の自体の剛性は高く、上述の衝撃力が入力しても車両用ドアがその中央部にて座屈することはなく、車両用ドアの大きな変形が避けられ、衝突安全性に優れたものとなる。
一方、上下の補強ビーム１８，３４はラッチ補強部材１４に衝撃力を更に伝達するが、しかしながら、ラッチ補強部材１４は前述したように上下に長く、その機械的強度はその衝撃力に対して十分に増加されている。しかも、ラッチ補強部材１４のドアラッチ１６はキャブ本体側のストライカに掛止された状態にあるので、ラッチ補強部材１４に伝達された衝撃力はドアラッチ１６を介してキャブ本体側に逃がされることから、車両用ドアの衝撃吸収性は高く、その衝突安全性の向上が更に図られる。
【００２２】
本発明は上述の一実施例に制約されるものではなく、種々の変形が可能である。
例えば、上側補強ビーム１８は外側補強板材２６のみから構成でき、この場合、外側補強板材２６はインナパネル２と協働して閉断面形状、つまり、箱部分２８を形作ることができる。
【００２３】
また、本発明の車両用ドアは小型トラックのキャブに好適するが、大型トラックのキャブにも同様に適用可能であることは言うまでもない。
【００２４】
【発明の効果】
以上説明したように、本発明の請求項１の車両用ドアによれば、上下の補強ビーム及び前後のパネル補強部材からなる井桁構造により、車両用ドアの剛性が増大し、その開閉に対する耐久性を大幅に向上させることができる。また、上下の補強ビームはそれぞれ閉断面形状を形作り、そして、これら補強ビームの一端連結部が上下のドアヒンジの近傍にて前側パネル補強部材に連結されているので、ドアヒンジを介して衝撃力が入力しても、車両用ドアの中央部における座屈変形を防止し、車両用ドアの耐衝撃性を増加させる。
【００２５】
また、上側補強ビームは、ドア重量の増加を招くことなく、車両用ドアのベルトライン部を効果的に補強し、その耐久性に対する信頼性をより高める。
請求項２の車両用ドアによれば、上下の補強ビームの一端車両の正面側からの衝撃入力は前側補強部材であるドアピラーから上下の補強ビームにそれぞれ受け止められるので、ドアピラーに加わる衝撃力が低減され、ドアピラーの耐衝撃性が向上する。また、下側補強ビームの他端連結部がドアラッチの上下にて後側補強部材であるラッチ補強部材に連結されているので、ラッチ補強部材は上下方向に延長されて、その機械的強度が高くなり、しかも、ラッチ補強部材に伝達される衝撃力はドアラッチを介して車体側に逃がされる結果、車両用ドアは優れた衝撃吸収性を発揮する。
更に、請求項３の車両用ドアは、そのインナパネルに上下の補強ビーム間に位置して開口を設けてあるから、この開口内にウインドレギュレータの組付けが可能となるばかりでなく、車両用ドアの軽量化に寄与する。
【図面の簡単な説明】
【図１】一実施例に係わる車両用ドアのインナパネルを示した図である。
【図２】図１中のII-II線に沿う断面図である。
【図３】図１中のIII-III線に沿う断面図である。
【図４】図１の車両用ドアに採用された井桁構造の機能を説明するための図である。
【符号の説明】
２        インナパネル
６        ベルトライン部
８        ドアピラー（前側パネル補強部材）
１０，１２  ドアヒンジ
１４        ラッチ補強部材（後側パネル補強部材）
１６        ドアラッチ
１８        上側補強ビーム
２８        箱部分
２０，２２  連結部
３４        下側補強ビーム
３６，３８  連結部
【図１】
0003672030.tif 000002
【図２】
0003672030.tif 000003
【図３】
0003672030.tif 000004
【図４】
0003672030.tif 000005